(57)【要約】【課題】枕元に設置して夜間の就寝時に点灯しても使用者が感じる眩しさを緩和することのできる卓上照明装置を提供する。【解決手段】光源部４１が主光源４２および補助光源４３を有するとともに、光源部４１が消灯状態から点灯するにあたって、主光源４２よりも先に補助光源４３が点灯するようにした。このため、消灯状態から卓上照明装置１０を点灯すると、まず補助光源４３が点灯した後に主光源４２が点灯するので、補助光源４３として主光源４２よりも暗いものを使用することにより、点灯時の明るさを低減して、眩しさを軽減することができる。【選択図】図２
2008004480.tif 000002
【特許請求の範囲】
【請求項１】
灯体に設けられた光源部を備える卓上照明装置であって、
前記光源部が主光源および補助光源を有するとともに、
前記光源部が消灯状態から点灯するにあたって、前記主光源よりも先に前記補助光源が点灯する卓上照明装置。
【請求項２】
前記補助光源が消灯状態から徐々に点灯する請求項１に記載の卓上照明装置。
【請求項３】
水平面に載置可能であるとともに前記灯体を支持する載置部を有し、
前記載置部が前記光源部を操作する操作部を兼ねている請求項１および請求項２のうちのいずれかに記載の卓上照明装置。
【発明の詳細な説明】
【技術分野】
【０００１】
本発明は、例えば寝室の枕元等で使用するのに適している卓上照明装置に関するものである。
【背景技術】
【０００２】
枕元での使用を想定した従来の卓上照明装置は、読書や書き物等の作業を行うのに十分な明るさを有する光源部を有しており、通常は下向きに照らすように配置しているのが一般的である。このため、就寝中に点灯させると非常に眩しく、すぐに目を開けることができないという問題があった。そこで、就寝中に点灯しても眩しくないように、全灯状態よりも明るさを抑えた第１の調光状態で光源を点灯させるようにした（例えば特許文献１参照）。
【特許文献１】特開２００１−２８４０６４号公報
【発明の開示】
【発明が解決しようとする課題】
【０００３】
ところで、深夜に目が覚めてトイレ等へ行く際に、暗所の中を移動するのは危険であり、かといって照明装置を明々と点灯したのでは、完全に目が覚めたり、隣の人を起こしてしまったりすることになる。そこで、前述した特許文献１に記載の照明装置のように明るさを抑えて点灯することができる照明装置が考案されているが、近年、夜間の就寝時における暗所の中で点灯した際に、使用者が眩しく感じるのを一層和らげる照明装置が求められている。
【０００４】
本発明は、従来の問題を解決するためになされたもので、枕元に設置して夜間の就寝時に点灯しても使用者が感じる眩しさを緩和することのできる卓上照明装置を提供することを目的とする。
【課題を解決するための手段】
【０００５】
本発明の卓上照明装置は、灯体に設けられた光源部を備える卓上照明装置であって、前記光源部が主光源および補助光源を有するとともに、前記光源部が消灯状態から点灯するにあたって、前記主光源よりも先に前記補助光源が点灯する構成を有している。
【０００６】
この構成により、消灯状態から卓上照明装置を点灯すると、まず補助光源が点灯した後に主光源が点灯する。このため、補助光源として主光源よりも暗いものを使用することにより、点灯時の明るさを低減して、眩しさを軽減することができる。
【０００７】
また、本発明の卓上照明装置は、前記補助光源が消灯状態から徐々に点灯する構成を有している。
【０００８】
この構成により、消灯状態から卓上照明装置を点灯させた際に点灯する補助光源は、消灯状態から徐々に明るさを増すので、点灯時の眩しさを軽減するとともに、目を明るさになれ易くすることができる。ここで、徐々に点灯するとは、時間の経過とともに段階的に明るさを増す場合および時間に比例して明るさを連続的に増す場合を含む。
【０００９】
さらに、本発明の卓上照明装置は、水平面に載置可能であるとともに前記灯体を支持する載置部を有し、前記載置部が前記光源部を操作する操作部を兼ねている構成を有している。
【００１０】
この構成により、載置部によって光源部を操作するので、消灯時の暗所の中でも容易に操作することができる。
【発明の効果】
【００１１】
本発明は、光源部を消灯状態から点灯するにあたって、主光源よりも先に補助光源が点灯するようにしたので、補助光源として主光源よりも暗いものを使用することにより、暗所における点灯時の明るさを低減して、眩しさを軽減することができるものである。
【発明を実施するための最良の形態】
【００１２】
以下、本発明の実施形態の卓上照明装置について、図面を用いて説明する。
図１は本発明の卓上照明装置に係る第１の実施形態を示す斜視図、図２（Ａ）は灯体の側面図、図２（Ｂ）は図２（Ａ）においてＢ方向から見た灯体の底面図、図２（Ｃ）は載置部の側面図、図３（Ａ）は灯体および支持部の移動状態を示す側面図、図３（Ｂ）は灯体および支持部の移動状態を示す正面図である。
【００１３】
図１に示すように、卓上照明装置１０は、机や台等の載置面に載置される載置部２０と、この載置部２０から上方に延びる支持部３０と、支持部３０の上端に取り付けられている灯体４０を備えている。図２に示すように、灯体４０には光源部４１が設けられており、光源部４１は主光源４２および補助光源４３を有している。そして、光源部４１が消灯状態から点灯するにあたって、主光源４１よりも先に補助光源４３が点灯するようになっている。
【００１４】
図２（Ａ）および（Ｂ）に示すように、灯体４０は例えば下面に開口４４ａを有する全体薄型の円盤形状をしたカバー部材４４を有しており、カバー部材４４の内部空間４４ｂには主光源４２を収容するとともに主光源４２からの光を照射方向へ反射するようになっている。また、主光源４２は、下面の開口４４ａに露出している。カバー部材４４には取付部４４ｃが一体的に設けられており、取付部４４ｃの先端（図２において右端に設けられているヒンジ部４４ｄ）が支持部３０のアーム３１の上端に設けられているカバー取付部３２に取り付けられている。カバー部材４４のヒンジ部４４ｄは、アーム３１上端のカバー取付部３２に対して回動可能かつ任意の角度で固定可能に取り付けられている。また、カバー部材４４の取付部４４ｃに取り付けられているヒンジ部４４ｄは、取付部４４ｃに対して３６０度回転可能となっており、カバー部材４４は図３（Ａ）において矢印Ａ方向に３６０度回転可能となっている。
【００１５】
カバー部材４４の内部空間４４ｂに収容されている主光源４２として、図２（Ｂ）に示すように、例えばガラス等の透明材料により形成された円管を蚊取り線香状に巻回したランプ４２ａを用いることができる。すなわち、主光源４２を面状にすることにより小型化して、灯体４０をコンパクトにすることができる。
【００１６】
また、図２（Ｂ）に示すように、カバー部材４４の取付部４４ｃ内部には補助光源４３が設けられており、取付部４４ｃの下面に設けられている開口から補助光を照射するようになっている。補助光源４３としては、例えばＬＥＤを用いることができる。そして、卓上照明装置１０のスイッチがＯＮとなると、まず補助光源４３のＬＥＤが点灯し、その後主光源４２のランプ４２ａが点灯するようにする。このとき、補助光源４３のＬＥＤは、主光源４２のランプ４２ａよりも暗いものを使用するのが望ましい。これにより、点灯時の明るさを低減して、眩しさを軽減することができる。なお、補助光源４３のＬＥＤは、主光源４２のランプ４２ａの点灯後に消灯しても良いが、電気消費量が少ないことから、ほんのりと点灯させて常夜灯として点灯させても良い。
【００１７】
さらに、補助光源４３のＬＥＤは、卓上照明装置１０のスイッチがＯＮとなってもいきなり１００％の点灯状態とはならず、徐々に明るくなるように制御する。これにより、消灯状態から卓上照明装置１０を点灯させた際に、点灯時の眩しさを軽減するとともに、目を明るさになれ易くすることができる。ここで、徐々に点灯するとは、時間の経過とともに段階的に明るさを増す場合および時間に比例して明るさを連続的に増す場合を含む。
【００１８】
図１および図２に示すように、載置部２０は、卓上照明装置１０の全体を安定に支持するための基台２１と、この基台２１の上に設けられている載置部本体２２とを有している。載置部本体２２は、例えば半球体形状とすることができる。そして、載置部本体２２を上下移動可能に基台２１に設けて、載置部本体２２の上下移動により光源部４１を操作する操作部としてのスイッチを兼ねるようにするのが望ましい。例えば、消灯状態から１度載置部本体２２を押し下げることにより補助光源４３がＯＮとなって徐々に明るくなり、載置部本体２２を再度押し下げることにより主光源４２をＯＮとしてランプ４２ａを点灯させ、さらに載置部本体２２を押し下げることにより光源部４１をＯＦＦとして消灯するようにする。これにより、暗所において手探りでスイッチ（載置部本体２２）を認識しやすく、また、手のひら以外の手の甲や足、その他のものを用いて容易にスイッチを操作することができる。
【００１９】
載置部２０の基台２１の背面（図２（Ｃ）中右側）にはアーム取付部２３が設けられており、アーム取付部２３の上側にはヒンジ部２３ａが鉛直軸周り（図３（Ｂ）において矢印Ｂ方向）に３６０度回転可能に設けられている。このヒンジ部２３ａには、支持部３０のアーム３１下端に設けられている載置部取付部３３が図３（Ａ）において矢印Ｃ方向に回動可能に設けられている。
従って、図３（Ａ）および（Ｂ）に示すように、アーム３１は載置部２０に対して矢印Ｂ方向に３６０度回転可能であるとともに、矢印Ｃ方向に上下回動可能となっている。さらに、灯体４０は、アーム３１に対して矢印Ａ方向に３６０度回転可能であるとともに、矢印Ｄ方向に上下回動可能となっている。これにより、主光源４１からの光および補助光源４３からの光は、任意の方向に向けることが可能となっている。
【００２０】
以上説明したように、本発明の第１実施形態に係る卓上照明装置１０によれば、光源部４１を消灯状態から点灯するにあたって、主光源４２よりも先に補助光源４３が点灯するようにしたので、補助光源４３として主光源４２よりも暗いものを使用することにより、点灯時の明るさを低減して、眩しさを軽減することができる。
【００２１】
次に、本発明の卓上照明装置に係る第２の実施形態を図面を用いて説明する。
図４（Ａ）は灯体の側面図、図４（Ｂ）は図４（Ａ）においてＢ方向から見た灯体の底面図、図４（Ｃ）は載置部の側面図である。なお、前述した第１実施形態と共通する部位には同じ符号を付して、重複する説明を省略することとする。
【００２２】
図４に示すように、この卓上照明装置１１では、補助光源４３が載置部２０に設けられている。すなわち、載置部２０の載置部本体２２を透明あるいは半透明の材料で形成し、載置部本体２２の内部に補助光源４３のＬＥＤを設けてある。なお、消灯状態から１度載置部本体２２を押し下げることにより載置部本体２２内の補助光源４３がＯＮとなって徐々に明るくなり、載置部本体２２を再度押し下げることにより主光源４２がＯＮとなってランプ４２ａが点灯し、さらに載置部本体２２を押し下げることにより光源部４１がＯＦＦとなって消灯するのは、前述した第１実施形態の場合と同様である。
【００２３】
以上説明したように、本発明の第２実施形態に係る卓上照明装置１１によれば、前述した第１実施形態の場合と同様の作用・効果を得ることができるとともに、載置部本体２２を押し下げて卓上照明装置１１をＯＮとすると、補助光源４３のＬＥＤが点灯して載置部本体２２全体が明るくなるので、暗所での視認性を高めることができる。
【００２４】
次に、本発明の卓上照明装置に係る第３の実施形態を図面を用いて説明する。
図５は本発明の卓上照明装置に係る第３の実施形態の要部である載置部を示す側面図である。なお、前述した第１実施形態あるいは第２実施形態と共通する部位には同じ符号を付して、重複する説明を省略することとする。
【００２５】
図５に示すように、この卓上照明装置１２では、スイッチとしての載置部本体２２は上下移動するものではなく、載置部本体２２の表面にタッチセンサ２４が設けられている。従って、使用者が手や足等の身体でタッチセンサ２４を触れることにより卓上照明装置１２がＯＮとなる。なお、第１実施形態と同様に灯体４０に補助光源４３を設けることができるが、載置部本体２２内部に補助光源４３を設けることもできる。
【００２６】
以上説明したように、本発明の第３実施形態に係る卓上照明装置１２によれば、前述した第１実施形態の場合と同様の作用・効果を得ることができるとともに、載置部本体２２に触れることによって卓上照明装置１２をＯＮとすることができるので、暗所において手探りで操作しやすくなっている。
【００２７】
なお、以上の説明では、灯体４０を円盤形状、載置部２０を半球体形状に構成した例について説明したが、その他の形状についても同様に実施可能である。
【産業上の利用可能性】
【００２８】
以上のように、本発明にかかる卓上照明装置は、光源部を消灯状態から点灯するにあたって、主光源よりも先に補助光源が点灯するようにしたので、補助光源として主光源よりも暗いものを使用することにより、点灯時の明るさを低減して、眩しさを軽減することができるという効果を有し、例えば寝室の枕元で使用する卓上照明装置等として有用である。
【図面の簡単な説明】
【００２９】
【図１】本発明の卓上照明装置に係る第１の実施形態を示す斜視図
【図２】（Ａ）は灯体の側面図  （Ｂ）は図２（Ａ）においてＢ方向から見た灯体の底面図  （Ｃ）は載置部の側面図
【図３】（Ａ）は灯体および支持部の移動状態を示す正面図  （Ｂ）は灯体および支持部の移動状態を示す側面図
【図４】（Ａ）は本発明の第２の実施形態にかかる卓上照明装置に係る灯体の側面図  （Ｂ）は図４（Ａ）においてＢ方向から見た灯体の底面図  （Ｃ）は載置部の側面図
【図５】本発明の卓上照明装置に係る第３の実施形態の要部を示す側面図
【符号の説明】
【００３０】
１０、１１、１２  卓上照明装置
２０  載置部（操作部）
４０  灯体
４１  光源部
４２  主光源
４３  補助光源
【図１】
2008004480.tif 000003
【図２】
2008004480.tif 000004
【図３】
2008004480.tif 000005
【図４】
2008004480.tif 000006
【図５】
2008004480.tif 000007